(57)【要約】オーラルケア装置は、電気モーターと、このモーターにより作動する空気圧縮機と、スラリーを入れておく為の密閉容器とを含むものである。第一の導管により、圧縮空気を圧縮機から容器に送る。圧縮空気の圧力は約２０〜約５０ｐｓｉである。第二の導管により、スラリーと空気を容器からアプリケーターに送り、そのアプリケーターからスラリーと空気を人の口腔内に噴霧する。第二の導管の長さは、少なくとも約２４インチである。
2004534592.tif 000002
【特許請求の範囲】
【請求項１】
頭部と、この頭部から伸びた一本もしくはそれ以上の剛毛とを含む歯ブラシと、
洗浄性を高める為に水、微粒子及び圧縮空気を前記頭部から歯に噴霧することができるよう、水、微粒子及び圧縮空気を前記頭部に供給する為の導管と、を備えたオーラルケア装置。
【請求項２】
前記歯ブラシが柄を含んでいて、その柄から前記頭部が延びている、請求項１のオーラルケア装置。
【請求項３】
前記導管の少なくとも一部分が前記柄の中にある、請求項２のオーラルケア装置。
【請求項４】
前記導管の少なくとも一部分が前記頭部の中にある、請求項３のオーラルケア装置。
【請求項５】
前記導管の少なくとも一部分が前記頭部の中にある、請求項１のオーラルケア装置。
【請求項６】
前記導管が可撓管を含んでいる、請求項１のオーラルケア装置。
【請求項７】
ハウジングと、
このハウジング内にある電気モーターと、
このモーターにより作動する、前記ハウジング内にある空気圧縮機と、
前記ハウジングに取り付けられた、スラリーを入れておく為の密閉容器と、
この容器に前記圧縮機から圧縮空気を送る為の第一の導管と、
人の口腔内にスラリーと空気を噴霧するアプリケーターに、前記容器からスラリーと空気を送る為の第二の導管と、を備えたオーラルケア装置。
【請求項８】
前記スラリーが水を含んでいる、請求項７のオーラルケア装置。
【請求項９】
前記スラリーが重炭酸ナトリウムとラウリル硫酸ナトリウムとを含んでいる、請求項７のオーラルケア装置。
【請求項１０】
空気安定器を更に含んでいて、その中を前記第一の導管が通っており、またこの安定器が前記圧縮機と前記容器との間に配置されている、請求項７のオーラルケア装置。
【請求項１１】
前記安定器が、当該安定器から空気を逃がして空気圧を調整する調節バルブを含んでいる、請求項１０のオーラルケア装置。
【請求項１２】
前記第一の導管に取り付けられた、空気圧が設定圧力を超えた時に開く超過圧力バルブを更に含む、請求項１０のオーラルケア装置。
【請求項１３】
前記スラリーが、洗浄用の粉末と液体との体積比約（粉末１部：液体１０部）〜（粉末４部：液体１０部）の混合物である、請求項７のオーラルケア装置。
【請求項１４】
電気モーターと、
このモーターにより作動する空気圧縮機と、
スラリーを入れておく為の密閉容器と、
この容器に、前記圧縮機から圧力約２０〜約５０ｐｓｉの圧縮空気を送る為の第一の導管と、
人の口腔内にスラリーと空気を噴霧するアプリケーターに、前記容器からスラリーと空気を送る為の、長さが少なくとも約２４インチの第二の導管と、を備えたオーラルケア装置。
【請求項１５】
前記圧縮空気の圧力が約２５〜約４５ｐｓｉである、請求項１４のオーラルケア装置。
【請求項１６】
前記圧縮空気の圧力が約３０〜約４０ｐｓｉである、請求項１４のオーラルケア装置。
【請求項１７】
前記圧縮空気の圧力が約３２〜約３８ｐｓｉである、請求項１４のオーラルケア装置。
【請求項１８】
前記第二の導管の長さが少なくとも約３０インチである、請求項１４のオーラルケア装置。
【請求項１９】
前記第二の導管の長さが少なくとも約３６インチである、請求項１４のオーラルケア装置。
【請求項２０】
前記第二の導管の長さが少なくとも約４２インチである、請求項１４のオーラルケア装置。
【請求項２１】
前記スラリーが、洗浄用の粉末と液体との体積比約（粉末１部：液体１０部）〜（粉末４部：液体１０部）の混合物である、請求項１４のオーラルケア装置。
【請求項２２】
前記柄が、前記頭部への水、微粒子及び圧縮空気の流れを制御する為のスイッチを含んでいる、請求項２のオーラルケア装置。
【請求項２３】
前記第一の導管により、圧縮空気を前記圧縮機から前記容器の底部付近に送る、請求項７のオーラルケア装置。
【請求項２４】
前記スラリーが、フッ化物、抗菌剤であるクロルヘキサジン、甘味料であるサッカリン、香味料であるミント、脱感剤及びトリクロサンからなる群から選ばれる添加物を含んでいる、請求項７のオーラルケア装置。
【請求項２５】
前記第一の導管により、圧縮空気を前記圧縮機から前記容器の底部付近に送る、請求項１４のオーラルケア装置。
【請求項２６】
前記歯ブラシが前記頭部と連結した柄を含んでいて、この柄の中に水と微粒子とからなるスラリー状の供給物を入れておく、請求項１のオーラルケア装置。
【請求項２７】
オーラルケア装置を洗浄するのに用いる水のみからなる別の供給物も前記柄の中に入れておく、請求項２６のオーラルケア装置。
【請求項２８】
前記スラリーを軟質袋の第一の区画室に入れておき、水のみからなる前記別の供給物をこの袋の第二の区画室に入れておく、請求項２７のオーラルケア装置。
【請求項２９】
圧縮空気を前記柄の中に供給する為の管を更に含んでいて、前記袋を前記柄の中に挿入すると、この管の自由端が前記袋を突き破って前記第一の区画室内に延びてゆき、それによってスラリーを袋から流出させることができる、請求項２８のオーラルケア装置。
【請求項３０】
前記管の自由端が前記第二の区画室を突き破って、水からなる供給物を前記第二の区画室から流出させることができるように、前記第二の区画室を動かして前記管の自由端に接触させる為の手段を更に含む、請求項２９のオーラルケア装置。
【発明の詳細な説明】
【技術分野】
【０００１】
本発明は、広くはオーラルケアの分野に関するものであり、具体的には、洗浄目的で人の口腔内に液体を噴霧する装置に関するものである。
【背景技術】
【０００２】
米国特許第５，２０３，６９８号明細書には、オーラルケア用の湿式発泡サンドブラスターが開示されている。研磨剤粒子を含んだ気泡を、小さなノズルから気体の圧力により噴射させるというものである。この装置には、歯科業界において、１）タバコ、茶及びその他の汚れの除去といった一般的な歯の洗浄用、２）う食エナメルの選択的削摩除去用、３）補てつ修復物の洗浄用、４）様々な歯及びボンディング用配合物中の修復材料の研磨用、及び５）骨増殖性研磨剤による歯周ポケットの洗浄用、並びに６）封鎖前の咬合小窩裂溝の洗浄用、という非常に具体的な用途がある。それに加えて、この装置には、宝石産業、半導体産業、自動車産業及びその他の産業において、洗浄用具やエッチング用具としての数多くの用途がある。
【０００３】
歯の表面やその他の表面を洗浄する為のこの装置は、密閉して加圧することができ、また液体、研磨剤粒子及び湿潤剤からなる混合物を入れることのできるキャニスターからなっている。このキャニスターは、圧縮気体を流入させる手段や、液体、研磨剤粒子及び湿潤剤からなる混合物中に圧縮気体を分散させ、それにより泡の形成をもたらし、その泡の中に研磨剤粒子を浮遊させて運ぶ手段を有している。また、研磨剤を含んだ泡を洗浄しようとする表面に当てる手段、及び研磨剤を含んだ泡の流れを制御する手段も備えている。
【０００４】
上記’６９８号特許に示されている製品は、カリフォルニア州サン・ラモンにある Danville Engineering 社 (www.daneng.com)により販売されている。この製品は、歯科医院において歯科専門家が使用するように設計されており、一人一人の消費者が家庭で使用するようには設計されていない。その為、この製品の特徴の幾つかは、この製品を家庭用には不向きなものにしている。例えば、Danvilleの製品には、空気圧縮機とその圧縮機を動かす為の電機モーターとが一体化されたものは含まれていない。従って、この装置を使用する為には、消費者が空気圧縮機を別途購入して、Danvilleの製品と共に洗面所に置く必要があるだろう。このような組み合わせは不便であり、また、洗面台を雑然とさせることであろう。
【０００５】
それに加えて、Danvilleの製品は、軽度の洗浄の場合には４０〜６０ｐｓｉの空気圧で作動させる。しかしながら、この製品に長いハンドピースを使用する場合、必要とされる空気圧は４０〜６０ｐｓｉという範囲の上側の限界である（約５５〜６０ｐｓｉと想定される）。この圧力範囲（５５〜６０ｐｓｉ）は、この製品を歯科専門家が患者の歯に対して用いている時には安全だが、個人が家庭で安全に使用するには高過ぎるかもしれない。
【０００６】
特定の機能を果たす為に、Danvilleの製品は、水２部：粉末１部という体積比を持つスラリーを用いて操作するように設計されている。このようなスラリーは、好ましくは歯科専門家が施すべきであって、消費者が家庭で使用している時には施すべきでない非常に高い濃度と見られる。
【０００７】
ミシガン州ホランドにある Air Force Inc. は、ザ・デンタル・エアー・フォースと呼ばれる製品を販売している (www.dentalairforce.comを参照のこと）。この装置では、歯から食物や歯垢を除去する為に、水と歯用洗浄剤（重炭酸ナトリウム）とを混入した空気を使用する。空気によって、歯間の小さな空間や歯茎に沿って洗浄剤が送られる。空気と洗浄剤を細い先端部の端から噴霧して、口腔から歯垢を除去する。
【０００８】
この装置の欠点は、使用のたびにハンドピースの一部分を開け、歯用洗浄剤の入った新しいカップをハンドピース内に挿入し、その後、ハンドピースの開けた部分を元に戻さなければならない、という点である。この操作は不便である。更に、操作者は、カップが水で満たされてこの器具が歯の洗浄に使用できるようになるまで２０〜３０秒待たなければならない。これはまた別の不便な点である。更に、ハンドピース中に粉末を入れるので、ハンドピースは比較的大きく、その為、扱いにくい。
【０００９】
Deldent Ltd. (www. Deldent.com) は、歯科専門家が使用するものであって人々が家庭で使用するものではない、と思われる一連の歯科製品を開示している。この会社は、３５ｐｓｉで作動すると当該会社が言っている数種類の空気研磨装置を販売している。
【発明の開示】
【発明が解決しようとする課題】
【００１０】
本発明は、上で述べた問題の内の一つ、もしくはそれ以上を克服することに向けられている。
【課題を解決するための手段】
【００１１】
簡単に要約すれば、本発明の一つの態様によれば、オーラルケア装置は、頭部と、この頭部から伸びた一本、もしくはそれ以上の剛毛とを有する歯ブラシを含むものである。洗浄性を高める為に水、微粒子、及び圧縮空気を頭部から歯に噴霧することができるよう、水、微粒子、及び圧縮空気を頭部に供給する為の導管が備えられている。その為、歯を噴霧洗浄できるという利点と、場合によっては歯をブラッシングできるという利点が得られる。更に、剛毛は頭部の位置決めの目安としての役目を果たし、またオーラルケア装置全体はコンパクトで使用が容易である。
【００１２】
本発明の第二の態様によれば、オーラルケア装置は、内部に電気モーターを有するハウジングと、このモーターにより作動する、ハウジング内にある空気圧縮機とを含むものである。このハウジングには密閉容器が取り付けられていて、スラリーを入れておくのに用いられる。第一の導管により、この容器内に圧縮機から圧縮空気を送る。第二の導管により、この容器からスラリーと空気をアプリケーターに送り、そのアプリケーターからスラリーと空気を人の口腔内に噴霧する。これらの電気モーター、圧縮機、及び容器を全てハウジングに繋げることにより、家庭用に便利な装置が実現する。
【００１３】
本発明の第三の態様によれば、オーラルケア装置は、電気モーター、このモーターにより作動する空気圧縮機、及びスラリーを入れておく為の密閉容器からなるものである。第一の導管により、この容器内に圧縮機から圧縮空気を送る。圧縮空気の圧力は、約２０〜約５０ｐｓｉである。第二の導管により、この容器からスラリーと空気をアプリケーターに送り、そのアプリケーターからスラリーと空気を人の口腔内に噴霧する。第二の導管の長さは、少なくとも約２４インチである。容器から２フィート以上離れたアプリケーターを使用する場合、この装置を約２０〜約５０ｐｓｉの空気圧で作動させることにより、歯の洗浄を、家庭で口腔を傷めることなく安全に行うことができる。
【００１４】
本発明のこれらの態様、その他の態様、目的、特徴、及び利点は、以下の好ましい態様の詳細な説明、及び添付の特許請求の範囲を吟味し、また添付の図面を参照することにより、より明かに理解され、認識されることであろう。
【発明を実施するための最良の形態】
【００１５】
図１に示すように、オーラルケア装置１０は、ハウジング１２を含むものである。押しボタン１４を用いて、この装置のオン・オフの切り換えを行う。取り外しできるようにスラリー貯蔵器１６がハウジング１２に固定されており、またスラリー貯蔵器１６には、Ｏリングが使われていてもよい気密ねじ蓋１８が、この容器を密閉する為に含まれている。この貯蔵器には、水と研磨剤粉末（例えば、重炭酸ナトリウムやラウリル硫酸ナトリウムのような微粒子（発泡剤））とからなるスラリーを入れる。他の薬剤をスラリーに添加して、様々な機能を発揮させることができる。例えば、虫歯を予防する為にフッ化物を、歯を白くする為に過酸化水素を、また、呼気を爽やかにする為にミント香味料を添加することができる。四個一組のゴム製の脚２０（一つは見えない）により、洗面台上での装置の滑動が阻止される。中空の軟質プラスチック管２２により、噴霧用アプリケーター２４が装置１０に連結されている。アプリケーター頭部２５から、水、空気及び微粒子を洗浄目的で人の口腔内に噴霧する。
【００１６】
図２を参照して、このオーラルケア装置の操作について更に詳しく説明する。電気モーター２６は、電力コード（図示せず）により電源（例えば１１０Ｖ、６０Ｈｚ）に接続することができる。このモーターを空気圧縮機２８に繋いで、空気圧縮機２８を作動させる。この圧縮機により、圧力が約２０〜約５０ｐｓｉの圧縮空気が管３０に供給される。
【００１７】
圧縮空気は管３０を出てゆき、系中の空気圧をならすのに用いられる空気安定器３２に入ってゆく。この空気安定器には、管３６によって調節バルブ３４が連結されている。系中の空気圧を微調節する為に、この調節バルブによって装置から空気を逃がすことができる。バルブ３４は、自動圧力調節器に換えることができる。管３８により、圧縮空気が空気安定器３２からスラリー貯蔵器１６の入口３９に送られる。この管３８には、管４１により超過圧力バルブ４０が連結されていて、空気圧が予め設定した限界を超えると、このバルブが開く。空気、水及び微粒子は出口４３を経て貯蔵器１６から出て、この混合物をアプリケーター４４（図１のアプリケーター２４とは異なる）に送る管４２に入る。
【００１８】
図３によれば、貯蔵器１６にはスラリー４６が入っている（図２と図３では、蓋１８は貯蔵器１６とほぼ同じ直径を有しているが、図１では、蓋１８は貯蔵器よりも大きい直径を有している）。スラリー中の微粒子と水の体積比は（１：１０）〜（４：１０）であり、好ましくは約２：１０である。入口３４に連結された管４８により、圧縮空気がスラリーの中に入ってゆく。逆止め弁には圧縮スプリング５０が含まれていて、空気圧が予め設定した限界よりも下がった時に、このスプリングがボール５２を離して、ボールで入口３４を封鎖する。この組み合わせにより、起こり得るスラリーの入口３４への、またそれを越える逆流が防止される。管４８は貯蔵器１６の底部付近まで伸びていて、圧縮空気がスラリーの中に入っていくようになっている。この空気によりスラリーが攪拌されて気泡が生じ、微粒子が懸濁状態に保たれる。水と微粒子とを含んだ空気の泡は、スラリーの上面から気泡５３として浮上する（更なる詳細については米国特許第５，２０３，６９８号明細書を参照のこと）。空気圧を貯蔵器１６にかけ続けると、空気、水及び微粒子が、出口４３と管４２とを通ってアプリケーターに押し進められる。図４には、図１のアプリケーター２４が開示されている。ここでもアプリケーターを、可撓管２２によりスラリー貯蔵器に繋ぐ。この管を、取付部品５５により貯蔵器１６の出口４３にしっかり取り付ける。管２２は、空気、水及び微粒子を貯蔵器１６からアプリケーターの頭部２５に導く導管の一部を成している。オン／オフ流れスイッチ５７を押して空気、水及び微粒子を頭部２５に流し、また、このスイッチを解放して流れを止める。導管は、アプリケーターの柄５４の中を通って頭部２５まで伸びている。そこで導管は分かれて、それぞれが一組のノズル５６（一組のみがはっきりと見えている）を持つ一対のマニホールド５８の中を通っている。各マニホールド５８中で導管は再び分かれて、マニホールド上の二つのノズルと連結している。硬質もしくは軟質のいずれの口内組織も傷つけることなく歯垢を安全に除去するような状態で、空気、水及び微粒子がノズルから噴射される。頭部２５には複数の剛毛タフト６０も固定されている。この剛毛タフトは主として、口内でのノズル５６の位置決めに用いるものであるが、同時に歯を磨くのにこの剛毛を用いることもできる。従って、空気、水及び微粒子を主として歯と歯茎とに噴霧して、高い洗浄性を得ることができる。
【００１９】
微粒子を懸濁状態に保つ為には、圧縮空気に加えて、他の手段を用いることができる。スラリーの成分が分離しないようにする為に、例えば羽根車のような機械的装置を用いることができる。或いは、微粒子を懸濁状態に保つ為に、化学的な界面活性剤を用いることができる。
【００２０】
使用後には毎回、系を洗浄するのが好ましい。このオーラルケア装置を洗浄する為には、蓋１８を貯蔵器１６から外す（図１を参照のこと）。貯蔵器を水ですすいだ後、水で満たす。貯蔵器を逆さまにしてスイッチ５７を押す。こうすると、貯蔵器１６に入ってくる圧縮空気によって水が出口４３から押し出され、それにより出口４３よりも下流の系をすすぐことができる。
【００２１】
アプリケーターの頭部は、所望の特定の洗浄効果により、様々な形状にすることができる。図５は、図２に示されているアプリケーター４４の断面図である。可撓管６２が柄６４の中を通って伸びている。オン／オフ流れスイッチ６６には、レバー６８、スプリング７０、及び図５に示すように通常は管を締めつけて管を塞いでいて、それにより流れを止めている加圧ナブ７２が含まれている。操作者がレバー６８を押すとナブ７２が管６２から離れ、空気、水及び微粒子が流れるようになっている。脱着コネクタ７３により、ノズル７４を簡単に交換することができる。ノズルには、口の中のどの位置にも簡単に届くよう、ネック７６が含まれている。
【００２２】
図６Ａ及び図６Ｂには、剛毛タフト７９付きブラシ頭部７８を有する、ブラシ頭部付き交換ノズルが開示されている。図７Ａ及び図７Ｂには、ノズル先端部８２の周囲にゴム製のコーン８０を有する交換ノズルが開示されている。
【００２３】
図８には、もう一つの頭部設計による図４のアプリケーター２４が開示されている。ここでは、図４の剛毛タフト、マニホールド及びノズルが、単一の円形ノズルに置き換えられている。
【００２４】
図９Ａ〜Ｅは、アプリケーター頭部の様々な形状を示すものである。図９Ａでは、歯の比較的大きな表面（例えば頬側の面）にゆきわたらせる為に広いパターンで噴霧可能な楕円形のノズル８４が設けられている。第二の円形ノズル８６が設けられているが、これはノズル８４よりもやや長いので、歯間に到達させることができる。ノズル８６は剛毛タフト８８で取り囲まれている。この剛毛タフトは、他のものの中でも特に、口の中での適切な噴霧位置を使用者に知らせる知覚的な目安を提供するものである。図９Ｂは、ノズル８４が取り除かれていることと、ノズル８６が短くなっていること以外は、図９Ａと同様である。
【００２５】
図９Ｃは、剛毛タフト９０で殆ど完全に覆われていて、頭部のほぼ中央に円形のノズル９２が一つある。図９Ｄは、この円形のノズルが、頭部の自由端寄りに位置している楕円形のノズルに置き換えられている以外は、図９Ｃと同様である。図９Ｅは、多数の剛毛タフトが取り除かれている以外は、図９Ｄと同様である。
【００２６】
図１０は、頭部９６を有するアプリケーター９４の部分断面図である。導管１００によって、二つのノズル９８がスラリー貯蔵器（図示せず）に連結されている。貯蔵器からの空気、水及び微粒子が一対のオリフィス１０２及び１０４まで導管を流れ下り、その後、ノズル先端部１０６及び１０８から出てゆき、二連式の噴霧を実現する。
【００２７】
図１１は、オリフィス１０２及び１０４が一対のマニホールド１１０及び１１２によってそれぞれ導管１００に連結されている以外は、図１０と同様である。
【００２８】
図１２には、もう一つの態様に係るオーラルケア装置が開示されている。この態様における主な違いは、ハウジング１２に取り付けられていたスラリー貯蔵器がオーラルケア装置の柄１２０の中に移動されている、という点である。その為、管２２により、圧縮されたばかりの空気をハウジングから柄１２０に送る。
【００２９】
図１３を参照すると、柄１２０の断面図が示されている。管２２が柄の中に一方の端から入っていて、圧縮空気が柄の中に入るようになっている。逆止め弁１２２は、図３を参照しながら上で述べた逆止め弁と同じ様に作動する。逆止め弁１２２の次に、硬質管１２４により圧縮空気が柄の中に更に送られる。管１２４は斜角のついた端１２６を有している。その用途については、以下で説明する。
【００３０】
軟質プラスチック袋１２８には、二つの区画室がある。第一の区画室１３０にはスラリーを入れ、第二の区画室１３２には水を入れる。このオーラルケア装置を操作して人の口腔の洗浄を行うたびに、スラリーと水の入った新しいプラスチック袋を使う。この袋を装填するには、柄の端からプランジャーキャップ１３４をねじって外す。その後、蓋も底もないリッジ容器１３６を柄から取り外す。この容器１３６の中に新しい袋を入れて、柄の中に戻し入れる。容器と袋を装填すると、管１２４の先端部１２６によって袋の区画室１３０に穴が開く。袋が柄の中に完全に装填されても、区画室１３２は先端部１２６によって穴が開くことはない。その後、キャップ１３４を、柄の端に元通りにねじって取り付ける。
【００３１】
この装置を、前述のようにして口腔を洗浄するのに用いる。ハウジング１２上のスイッチ１４を押し下げて、空気圧縮機を始動させる。上記のスイッチ６６と実質的に同じ様に機能するスイッチ１３８を押し下げて、空気、水及び微粒子を加圧下、頭部１４０に流す。異なる点は、柄１２０を図１３に示す垂直な向きから大きく傾けてはならない、という点である。垂直に向けていれば、先端部１２６がスラリー中に沈んだままとなる。柄を垂直な向きから大きく傾けると、先端部１２６がスラリー中に沈まないことがあり、装置が適切に作動しない。
【００３２】
口腔の洗浄が終了したら、このオーラルケア装置を以下のように洗浄する。柄１２０を、図１３に示す向きから逆さまに傾ける。操作者がキャップ１３４のプランジャー１４２を押して、圧縮スプリング１４４の抵抗に逆らってキャップを頭部１４０に向かって押し付ける。このような動きによって、プランジャーの一部分１４６が区画室１３２を先端部１２６に向かって押すことになり、その為に区画室１３２に穴が開く。これにより袋１２８から水が流出し、圧縮空気によって柄１２０と頭部１４０から押し出され、それによってこれらの部品が洗浄される。
【図面の簡単な説明】
【００３３】
【図１】図１は、オーラルケア装置の概略斜視図である。
【図２】図２は、図１に示した装置の可動構成要素の概略図である。
【図３】図３は、線３−３の方向に沿って見たときの、図２の貯蔵器１６の断面図である。
【図４】図４は、図１のアプリケーター２４の斜視図である。
【図５】図５は、図２のアプリケーター４４の断面図である。
【図６Ａ】図６Ａは、交換ノズルの設計を示す斜視図である。
【図６Ｂ】図６Ｂは、図６Ａのノズルの断面図である。
【図７Ａ】図７Ａは、別の交換ノズルの設計を示す斜視図である。
【図７Ｂ】図７Ｂは、図７Ａのノズルの断面図である。
【図８】図８は、別の頭部設計による図４のアプリケーター２４の斜視図である。
【図９Ａ】図９Ａは、アプリケーター２４の頭部の様々な設計を示す斜視図である。
【図９Ｂ】図９Ｂは、アプリケーター２４の頭部の様々な設計を示す斜視図である。
【図９Ｃ】図９Ｃは、アプリケーター２４の頭部の様々な設計を示す斜視図である。
【図９Ｄ】図９Ｄは、アプリケーター２４の頭部の様々な設計を示す斜視図である。
【図９Ｅ】図９Ｅは、アプリケーター２４の頭部の様々な設計を示す斜視図である。
【図１０】図１０は、アプリケーター頭部の別の設計を示す部分断面図である。
【図１１】図１１は、アプリケーター頭部の別の設計を示す部分断面図である。
【図１２】図１２は、もう一つの態様に係るオーラルケア装置の概略斜視図である。
【図１３】図１３は、図１２の柄／頭部の線１３−１３に沿った断面図である。
【国際公開パンフレット】
2004534592.tif 000003
2004534592.tif 000004
2004534592.tif 000005
2004534592.tif 000006
2004534592.tif 000007
2004534592.tif 000008
2004534592.tif 000009
2004534592.tif 000010
2004534592.tif 000011
2004534592.tif 000012
2004534592.tif 000013
2004534592.tif 000014
2004534592.tif 000015
2004534592.tif 000016
2004534592.tif 000017
2004534592.tif 000018
2004534592.tif 000019
2004534592.tif 000020
2004534592.tif 000021
2004534592.tif 000022
2004534592.tif 000023
2004534592.tif 000024
2004534592.tif 000025
【国際公開パンフレット（コレクトバージョン）】
2004534592.tif 000026
【国際調査報告】
2004534592.tif 000027
2004534592.tif 000028
2004534592.tif 000029
2004534592.tif 000030
2004534592.tif 000031